(57)【特許請求の範囲】
【請求項１】
開口部を有するフレームと、
前記開口部に配置された透明ディスプレイパネルと、
前記フレームの領域に配置されて前記透明ディスプレイパネルを制御する制御モジュールと、を備え、
前記透明ディスプレイパネル及び前記制御モジュールが配置されるフレームは、所定の製品の前面をカバーするように装着されて前記所定の製品のドア部を形成し、
前記ドア部が前記所定の製品の内部へのアクセスのために開閉する際に、前記ドア部は回動し、
第１透明カバーは、前記透明ディスプレイパネルの前面から第１間隔をおいて配置され、
第２透明カバーは、前記透明ディスプレイパネルの後面から第２間隔をおいて配置され、
前記第１間隔は、前記第２間隔より広く、
前記第１透明カバー及び前記第２透明カバーの周縁領域には、前記第１透明カバーと前記第２透明カバーとの間の間隔と、前記第１透明カバーと前記透明ディスプレイパネルとの間の間隔と、を制御する第１スペーサが配置され、
前記第２透明カバーの周縁領域には、前記第２透明カバーと前記透明ディスプレイパネルとの間の間隔を制御する第２スペーサが配置され、
前記第１スペーサは、第１支持バー及び第２支持バー並びに第１連結バー及び第２連結バーを有し、
前記第１支持バーは、前記第１透明カバーと前記第２透明カバーとの間の間隔を制御し、
前記第２支持バーは、前記第１透明カバーと前記透明ディスプレイパネルとの間の間隔を制御し、
前記第１連結バーは、前記第１支持バーの一端と前記第２支持バーの一端とを連結し、前記第１透明カバーの前記周縁領域に接触し、
前記第２連結バーは、前記第１支持バーの他端に連結され、前記第２透明カバーの前記周縁領域に接触する、透明ディスプレイ装置。
【請求項２】
前記フレームは、
第１開口部を有する前面ドアフレームと、
第２開口部を有し、前記前面ドアフレームに連結される後面ドアフレームと、を備える、請求項１に記載の透明ディスプレイ装置。
【請求項３】
前記第１開口部及び前記第２開口部の面積は互いに異なる、請求項２に記載の透明ディスプレイ装置。
【請求項４】
前記前面ドアフレームは前記後面ドアフレームの方向に延長され且つ前記後面ドアフレームに結合される延長フレームを有し、
前記延長フレームは接続配線が通る配線空間が形成される、請求項２に記載の透明ディスプレイ装置。
【請求項５】
前記後面ドアフレームは前記所定の製品の方向に配置される緩衝部材と結合される、請求項２に記載の透明ディスプレイ装置。
【請求項６】
前記後面ドアフレームは前記第２開口部に対向する一端の領域に配置される少なくとも一つの光源モジュールを有する、請求項２に記載の透明ディスプレイ装置。
【請求項７】
前記制御モジュールは、
外部装置から信号を受信する第１インターフェース部と、
遠隔制御装置から信号を受信する第２インターフェース部と、
前記第１インターフェース部及び前記第２インターフェース部から受信される信号によって前記透明ディスプレイパネルを制御する制御部と、を備える、請求項１に記載の透明ディスプレイ装置。
【請求項８】
前記制御モジュールは前記制御部で処理された音声信号を出力するオーディオ出力部をさらに備える、請求項７に記載の透明ディスプレイ装置。
【請求項９】
前記制御モジュールは前記所定の製品の内部に保管される物品に関する情報が表示されるように前記透明ディスプレイパネルを制御する、請求項１に記載の透明ディスプレイ装置。
【請求項１０】
前記制御モジュールは光が透過する透過領域及び前記光が透過しない不透過領域が同時に表示されるように前記透明ディスプレイパネルを制御する、請求項１に記載の透明ディスプレイ装置。
【請求項１１】
前記制御モジュールは前記所定の製品の内部に保管される物品に関する情報が前記不透過領域に表示されるように前記透明ディスプレイパネルを制御する、請求項１０に記載の透明ディスプレイ装置。
【請求項１２】
前記制御モジュールは前記所定の製品の内部に保管される物品のうち前記透過領域を通して見える物品に関する情報が前記不透過領域に表示されるように前記透明ディスプレイパネルを制御する、請求項１０に記載の透明ディスプレイ装置。
【請求項１３】
前記透明ディスプレイパネル及び前記制御モジュールに電源を供給する電源部を有するカバー部をさらに備える、請求項７に記載の透明ディスプレイ装置。
【請求項１４】
前記カバー部は前記フレームから一定間隔をおいて配置され且つ前記所定の製品の下端部に装着される、請求項１３に記載の透明ディスプレイ装置。
【請求項１５】
前記カバー部は前記制御部で処理された音声信号を出力するオーディオ出力部をさらに備える、請求項１３に記載の透明ディスプレイ装置。
【発明の詳細な説明】
【技術分野】
【０００１】
本発明は、透明ディスプレイ装置に関し、特に、所定の製品に取り付けられて、当該製品内の物品情報及び広告などを表示する透明ディスプレイ装置に関する。
【背景技術】
【０００２】
電子技術の発展に伴って様々なディスプレイ装置が開発されている。ＣＲＴ、ＬＣＤ、ＰＤＰ、及びＯＬＥＤ等のように様々なディスプレイ部品を含むディスプレイ装置が使用されてきている。
【０００３】
しかしながら、既存のディスプレイ装置は、ディスプレイ部が配置されている一方向からしか視聴できないという限界があった。
【０００４】
このような限界を克服するために、透明ディスプレイ装置に関する研究が行われている。
【０００５】
透明ディスプレイ装置は、ディスプレイ部が透明になっているため、ユーザがディスプレイ部に表示されるコンテンツの他、ディスプレイ部の後面における被写体も見ることができるという長所がある。
【０００６】
また、ユーザの他に、ユーザの反対側に位置している第３者も、ディスプレイ部に表示されるコンテンツを鑑賞することができるという長所がある。
【０００７】
しかしながら、透明ディスプレイ装置に関する研究は、ハードウェア開発に集中しているだけであって、その活用方法及びコンテンツ開発に関する研究は不十分な実情にある。
【０００８】
したがって、所定の製品に取り付けられてドア部の役割を担うと同時に、製品内の物品情報及び広告などをディスプレイするなどの様々な機能を果たすことができる透明ディスプレイ装置の開発が望まれる。
【発明の概要】
【発明が解決しようとする課題】
【０００９】
本発明の一実施例が解決しようとする技術的課題は、透明ディスプレイパネル及び制御モジュールが配置されるフレームを、所定の製品の前面をカバーするように装着することによって、製品の内部開閉時に回動してドア部の役割を担うと同時に、製品内の物品情報及び広告などをディスプレイするなどの様々な機能を果たすことができる透明ディスプレイ装置を提供することにある。
【００１０】
本発明で解決しようとする技術的課題は、上記に言及した技術的課題に制限されず、言及していない別の技術的課題は、以下の記載から、本発明の属する技術の分野における通常の知識を有する者に明確に理解されるであろう。
【課題を解決するための手段】
【００１１】
本発明の一実施例に係る透明ディスプレイ装置は、開口部を有するフレームと、開口部に配置される透明ディスプレイパネルと、フレーム領域に配置されて、透明ディスプレイパネルを制御する制御モジュールとを備え、透明ディスプレイパネル及び制御モジュールが配置されるフレームは、所定の製品の前面をカバーするように装着されて所定の製品のドア部を形成し、且つ、所定の製品の内部開閉時に回動することができる。
【００１２】
ここで、フレームは、第１開口部を有する前面ドアフレームと、第２開口部を有し前面ドアフレームに連結される後面ドアフレームとを有することができる。
【００１３】
そして、本発明は、透明ディスプレイパネルの前面から第１間隔をおいて配置される第１透明カバーと、透明ディスプレイパネルの後面から第２間隔をおいて配置される第２透明カバーとをさらに備え、第１透明カバー及び第２透明カバーの周縁領域には、第１透明カバー及び第２透明カバー間の間隔と、第１透明カバー及び透明ディスプレイパネル間の間隔とを制御する第１スペーサが配置され、第２透明カバーの周縁領域には、第２透明カバー及び透明ディスプレイパネル間の間隔を制御する第２スペーサが配置されてもよい。
【００１４】
また、制御モジュールは、外部装置から信号を受信する第１インターフェース部と、遠隔制御装置から信号を受信する第２インターフェース部と、第１インターフェース部及び第２インターフェース部から受信される信号によって透明ディスプレイパネルを制御する制御部とを備えることができる。
【００１５】
本発明から得られる技術的解決手段は、以上に言及した解決手段に制限されず、言及していない別の解決手段は、以下の記載から、本発明の属する技術の分野における通常の知識を有する者に明確に理解されるであろう。
【発明の効果】
【００１６】
本発明の一実施例によれば、透明ディスプレイパネル及び制御モジュールが配置されるフレームを、所定の製品の前面をカバーするように装着することによって、製品の内部開閉時に回動してドア部の役割を担うと同時に、製品内の物品情報及び広告などを表示するなどの様々な機能を果たすことが可能になる。
【００１７】
また、本発明は、制御モジュールと光源モジュールとを透明カバー部の外側に配置することによって、回路部品の交換及び修理がしやすく、量産が可能であるという効果がある。
【００１８】
そして、本発明は、偏光板及び導光板が省かれた透明ディスプレイパネルを使用することによって、軽くて設置がしやすく、製造コストを低減できるという効果がある。
【００１９】
また、本発明は、外部装置及び遠隔制御装置に接続されるインターフェース部を配置することによって、外部装置から受信される様々なコンテンツを表示し、遠隔制御装置から受信される制御信号によって輝度を制御することができ、ユーザの利便性を増大させることができるという効果がある。
【００２０】
そして、本発明は、オーディオ出力部を配置することによって、透明ディスプレイパネルに表示されるコンテンツ映像に関する音響を提供することによって、物品の広告及び広報に卓越した効果がある。
【００２１】
したがって、本発明は、広告コンテンツと共に飲料のような製品内部の物品を表示することによって、消費者の目を引き、購買欲求を高めることができる。
【００２２】
本発明から得られる効果は、以上に言及した効果に制限されず、言及していない他の効果は、以下の記載から、本発明の属する技術の分野における通常の知識を有する者に明らかになるであろう。
【図面の簡単な説明】
【００２３】
【図１Ａ】本発明に係る透明ディスプレイ装置が装着される所定の製品を示す図である。
【図１Ｂ】本発明に係る透明ディスプレイ装置が装着される所定の製品を示す図である。
【図１Ｃ】本発明に係る透明ディスプレイ装置が装着される所定の製品を示す図である。
【図２】本発明に係る透明ディスプレイ装置の分解図である。
【図３】図２の断面図である。
【図４】図２の前面ドアフレームと後面ドアフレームを示す図である。
【図５】図２の前面ドアフレーム、後面ドアフレーム及び緩衝部材の結合過程を示す図である。
【図６】図２の光源モジュールの配置過程を示す図である。
【図７】図２の光源モジュールの長さを示す図である。
【図８】図２の第１及び第２透明カバーの配置を示す図である。
【図９】図２の第１及び第２スペーサを示す図である。
【図１０】図２の制御モジュールの配置を示す図である。
【図１１】図２の制御モジュールを示すブロック構成図である。
【図１２】図２の制御モジュールの配線接続を示す図である。
【図１３】本発明に係る透明ディスプレイ装置が装着されたクーラーを示す図である。
【図１４】本発明に係る透明ディスプレイ装置が装着されたクーラーを示す図である。
【図１５】本発明に係る透明ディスプレイ装置が装着されたクーラーを示す図である。
【図１６】本発明に係る透明ディスプレイ装置が装着されたクーラーを示す図である。
【発明を実施するための形態】
【００２４】
以下、図面を参照して、本発明をより詳しく説明する。
【００２５】
以下の説明で使われる構成要素における接尾語「モジュール」及び「部」は、単に本明細書の作成の容易さを考慮して与えられるものであり、「モジュール」及び「部」は同じ意味で使われてもよい。
【００２６】
なお、以下、添付の図面及び添付の図面に記載された内容を参照して本発明の実施例を詳細に説明するが、本発明が実施例によって制限又は限定されるものではない。
【００２７】
本明細書で使われる用語については、本発明における機能を考慮するとともに、可能な限り現在広く使われている一般的な用語を選択したが、これは、当該分野に従事する技術者の意図、慣例又は新しい技術の出現などによって変更されてもよい。また、特定の場合には、出願人が任意に選定した用語もあり、その場合には、該当する発明の説明箇所においてその意味を記載するものとする。したがって、本明細書で使われる用語は、単なる用語の名称ではなく、その用語が持つ実質的な意味と本明細書全般の内容に基づいて解釈されなければならないことは明らかである。
【００２８】
一方、本明細書及び／又は図面に記述された内容は、本発明に係る好適な一実施例であり、これに限定されず、本発明の権利範囲は特許請求の範囲から決定されなければならない。
【００２９】
以下、本明細書でいう透明ディスプレイ装置は、例えば、データ（ｄａｔａ）、コンテンツ（ｃｏｎｔｅｎｔ）、サービス（ｓｅｒｖｉｃｅ）、アプリケーション（ａｐｐｌｉｃａｔｉｏｎ）などの送信、受信、処理及び出力のうち少なくとも一つを行うデバイスであればいずれも含むことができる。透明ディスプレイ装置は、有／無線ネットワーク（ｗｉｒｅ／ｗｉｒｅｌｅｓｓ  ｎｅｔｗｏｒｋ）を介して他のデジタルデバイス、外部サーバー（ｅｘｔｅｒｎａｌ  ｓｅｒｖｅｒ）などとペアリング又は接続（ｐａｉｒｉｎｇ  ｏｒ  ｃｏｎｎｅｃｔｉｎｇ）（以下、「ペアリング」という。）可能であり、これによって所定のデータを送受信することができる。このとき、必要によって、上記データはその送受信前に適切に変換（ｃｏｎｖｅｒｔｉｎｇ）されてもよい。上記デジタルデバイスは、例えば、ネットワークＴＶ（Ｎｅｔｗｏｒｋ  ＴＶ）、ＨＢＢＴＶ（Ｈｙｂｒｉｄ  Ｂｒｏａｄｃａｓｔ  Ｂｒｏａｄｂａｎｄ  ＴＶ）、スマートＴＶ（Ｓｍａｒｔ  ＴＶ）、ＩＰＴＶ（Ｉｎｔｅｒｎｅｔ  Ｐｒｏｔｏｃｏｌ  ＴＶ）、ＰＣ（Ｐｅｒｓｏｎａｌ  Ｃｏｍｐｕｔｅｒ）などのような固定型デバイス（ｓｔａｎｄｉｎｇ  ｄｅｖｉｃｅ）も、ＰＤＡ（Ｐｅｒｓｏｎａｌ  Ｄｉｇｉｔａｌ  Ａｓｓｉｓｔａｎｔ）、スマートフォン（Ｓｍａｒｔ  Ｐｈｏｎｅ）、タブレットＰＣ（Ｔａｂｌｅｔ  ＰＣ）、ノートパソコン（Ｎｏｔｅｂｏｏｋ）などのようなモバイルデバイス（ｍｏｂｉｌｅ  ｄｅｖｉｃｅ又はｈａｎｄｈｅｌｄ  ｄｅｖｉｃｅ）も含むことができる。
【００３０】
一方、本明細書でいう有／無線ネットワークとは、透明ディスプレイ装置とデジタルデバイス間、又は透明ディスプレイ装置と外部サーバー間でペアリング及び／又はデータ送受信のために様々な通信規格又はプロトコルを支援する通信ネットワークの総称である。このような有／無線ネットワークは、規格によって現在又は将来に支援される通信ネットワークのいずれをも含み、そのための１つ又はそれ以上の通信プロトコルを全て支援することができる。このような有／無線ネットワークは、例えば、ＵＳＢ（Ｕｎｉｖｅｒｓａｌ  Ｓｅｒｉａｌ  Ｂｕｓ）、ＣＶＢＳ（Ｃｏｍｐｏｓｉｔｅ  Ｖｉｄｅｏ  Ｂａｎｋｉｎｇ  Ｓｙｎｃ）、コンポーネント（Ｃｏｍｐｏｎｅｎｔ）、Ｓ−ビデオ（アナログ）、ＤＶＩ（Ｄｉｇｉｔａｌ  Ｖｉｓｕａｌ  Ｉｎｔｅｒｆａｃｅ）、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、ＲＧＢ、Ｄ−ＳＵＢのような有線接続のためのネットワークとそのための通信規格又はプロトコルと、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ：ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）、ＤＬＮＡ（Ｄｉｇｉｔａｌ  Ｌｉｖｉｎｇ  Ｎｅｔｗｏｒｋ  Ａｌｌｉａｎｃｅ）、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＬＴＥ／ＬＴＥ−Ａ（Ｌｏｎｇ  Ｔｅｒｍ  Ｅｖｏｌｕｔｉｏｎ／ＬＴＥ−Ａｄｖａｎｃｅｄ）、Ｗｉ−Ｆｉダイレクト（ｄｉｒｅｃｔ）のような無線接続のためのネットワークとそのための通信規格又はプロトコルによって構成することができる。
【００３１】
なお、本明細書で単に透明ディスプレイ装置と命名する場合、これは、文脈によって固定型デバイス又はモバイルデバイスのいずれかを含む意味であってもよく、特に言及しない限り、両者を含む意味であってもよい。
【００３２】
一方、透明ディスプレイ装置は、例えば、放送受信機能、コンピュータ機能及び少なくとも一つの外部入力などを支援する知能型デバイスであり、上述した有／無線ネットワークを介して電子メール（ｅ−ｍａｉｌ）、ウェブブラウジング（ｗｅｂ  ｂｒｏｗｓｉｎｇ）、バンキング（ｂａｎｋｉｎｇ）、ゲーム（ｇａｍｅ）、アプリケーション（ａｐｐｌｉｃａｔｉｏｎ）などを支援することができる。また、上記デジタルデバイスは、手書き方式の入力デバイス、タッチ−スクリーン（ｔｏｕｃｈ−ｓｃｒｅｅｎ）、空間リモコンなどを含む少なくとも一つの入力又は制御手段（以下、「入力手段」という。）を支援するためのインターフェース（ｉｎｔｅｒｆａｃｅ）を具備することができる。
【００３３】
なお、透明ディスプレイ装置は、標準化された汎用ＯＳ（Ｏｐｅｒａｔｉｎｇ  Ｓｙｓｔｅｍ）を利用することができるが、特に、本明細書でいう透明ディスプレイ装置は、Ｗｅｂ  ＯＳを利用することを一実施例とする。したがって、透明ディスプレイ装置は、汎用のＯＳカーネル（ＯＳ  ｋｅｒｎｅｌ）又はＬｉｎｕｘ（登録商標）カーネル（Ｌｉｎｕｘ（登録商標）  ｋｅｒｎｅｌ）上に様々なサービスやアプリケーションを追加（ａｄｄｉｎｇ）、削除（ｄｅｌｅｔｉｎｇ）、修正（ａｍｅｎｄｉｎｇ）、アップデート（ｕｐｄａｔｉｎｇ）するなどの処理が可能であり、これによって、よりユーザフレンドリーな（ｕｓｅｒ−ｆｒｉｅｎｄｌｙ）環境を作って提供することができる。
【００３４】
一方、上述した透明ディスプレイ装置は外部入力を受信して処理することができるが、このとき、外部入力は、外部入力デバイス、すなわち、上述した透明ディスプレイ装置と有／無線ネットワークを介して接続されてデータを送受信して処理できるあらゆる入力手段又はデジタルデバイスを含む。例えば、外部入力としては、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、プレイステーション（ｐｌａｙｓｔａｔｉｏｎ）やエックス−ボックス（Ｘ−Ｂｏｘ）などのようなゲームデバイス（ｇａｍｅ  ｄｅｖｉｃｅ）、スマートフォン、タブレットＰＣ、ポケットフォト（ｐｏｃｋｅｔ  ｐｈｏｔｏ）などのようなプリント器（ｐｒｉｎｔｉｎｇ  ｄｅｖｉｃｅ）、スマートＴＶ、ブルーレイデバイス（Ｂｌｕ−ｒａｙ（登録商標）  ｄｅｖｉｃｅ）などのようなデジタルデバイスを含む。
【００３５】
以下、添付の図面を参照して、本発明をより詳しく説明する。
【００３６】
図１Ａ乃至図１Ｃは、本発明に係る透明ディスプレイ装置が装着される所定の製品を示す図であり、図１Ａは、透明ディスプレイ装置が前面に装着された所定の製品を示し、図１Ｂは、透明ディスプレイ装置が分離された所定の製品を示し、図１Ｃは、透明ディスプレイ装置の回動によって開放された所定の製品を示している。
【００３７】
図１Ａ乃至図１Ｃに示すように、本発明に係る透明ディスプレイ装置２０は、所定の製品１０の前面部に装着されて、所定の製品１０のドア部として機能することができる。
【００３８】
ここで、所定の製品１０は、クーラー（ｃｏｏｌｅｒ）などのような冷蔵保管装置としたが、これに限定されず、様々な物品を保管できる保管装置であってもよく、デジタルサイネージであってもよい。
【００３９】
そして、透明ディスプレイ装置２０は、所定の映像２６を画面に表示する透明ディスプレイパネル２４、及び透明ディスプレイパネル２４の周辺を支持するフレーム２２を備えることができる。
【００４０】
また、透明ディスプレイ装置２０は、電源を供給する電源部を有することができ、電源部は、所定の製品１０の下端に位置するカバー部３０内に配置することができる。
【００４１】
ここで、フレーム２２と透明ディスプレイパネル２４とを有する透明ディスプレイ装置２０は、製品１０の一端に取り付けられたヒンジによって回動することができる。
【００４２】
これによって、透明ディスプレイ装置２０のフレーム２２及び透明ディスプレイパネル２４は回動し、透明ディスプレイ装置２０の電源部は回動しないように固定することができる。
【００４３】
場合によって、透明ディスプレイ装置２０の電源部も、配置される場所によりフレーム２２及び透明ディスプレイパネル２４と共に回動してもよい。
【００４４】
一例として、透明ディスプレイ装置２０は、開口部を有するフレーム（ｆｒａｍｅ）２２、開口部に配置される透明ディスプレイパネル２４、及びフレーム領域に配置されて、透明ディスプレイパネル２４を制御する制御モジュールを備えることができる。
【００４５】
ここで、透明ディスプレイパネル２４及び制御モジュールが配置されるフレーム２２は、所定の製品１０の前面（ｆｒｏｎｔ  ｓｕｒｆａｃｅ）をカバーするように装着され、所定の製品１０のドア部を構成することができる。
【００４６】
また、透明ディスプレイパネル２４及び制御モジュールが配置されるフレーム２２は、所定の製品１０の内部開閉の際に回動することができる。
【００４７】
ここで、製品１０の内部空間１２では、棚１６上に様々な物品１４を展示することができ、透明ディスプレイパネル２４には、製品１０の内部に保管される物品１４に関する情報を表示することができる。
【００４８】
そして、透明ディスプレイパネル２４は、液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）のうち少なくとも一つを含むことができるが、これを通して後方が見えるように透明型又は光透過型に構成することができる。
【００４９】
透明ディスプレイパネル２４の代表例には、ＴＯＬＥＤ（Ｔｒａｎｓｐａｒａｎｔ  ＯＬＥＤ）などがあり、透明ディスプレイパネル２４の後方構造も同様に光透過型構造にすることができる。このような構造によって、ユーザは、透明ディスプレイパネル２４が占める領域を通して、透明ディスプレイ装置の後方に位置している事物を見ることができる。
【００５０】
透明ディスプレイ装置は、実施形態によって、透明ディスプレイパネル２４が２個以上存在してもよい。例えば、複数の透明ディスプレイパネル２４が一つの面に離隔して又は一体として配置されてもよく、又は、個別の面にそれぞれ配置されてもよい。
【００５１】
また、透明ディスプレイパネル２４とタッチセンサーとが、レイヤ構造又は一体型に構成される場合に、透明ディスプレイパネル２４は、出力装置の他、入力装置としても用いることができる。
【００５２】
ここで、タッチセンサーが、例えば、タッチフィルム、タッチシート、タッチパッドなどの形態を有する場合、透明ディスプレイパネル２４に積層されてレイヤ構造を形成することもでき、透明ディスプレイパネル２４の構成に含まれて一体型になってもよい。
【００５３】
次に、フレーム２２は、前面ドアフレーム（ｆｒｏｎｔ  ｄｏｏｒ  ｆｒａｍｅ）及び後面ドアフレームを備えることができる。
【００５４】
ここで、前面ドアフレームは、第１開口部を有し、後面ドアフレームは、第２開口部を有することができる。第１開口部及び第２開口部の面積は、互いに異なってもよい。
【００５５】
一例として、後面ドアフレームの第２開口部の面積は、前面ドアフレームの第１開口部の面積より広くてもよい。
【００５６】
これは、後面ドアフレームの内部側面に光源モジュールを装着するための内部空間をさらに確保するためである。
【００５７】
万一、後面ドアフレームの第２開口部の面積が、前面ドアフレームの第１開口部の面積よりも狭いと、後面ドアフレームの内部側面に装着された光源モジュールが外部に露出することがある。よって、後面ドアフレームの第２開口部の面積が、前面ドアフレームの第１開口部の面積よりも広いことが好ましい。
【００５８】
また、前面ドアフレームは延長フレームを有することができ、延長フレームは、後面ドアフレームの方向に延長されて後面ドアフレームに結合されてもよい。
【００５９】
そして、延長フレームには、接続配線が通る配線空間が形成されてもよい。
【００６０】
延長フレームに、接続配線が通る配線空間を形成する理由は、接続配線が、上部に位置する透明ディスプレイパネル２４と下部に位置する制御モジュールとを電気的に接続するためである。
【００６１】
続いて、後面ドアフレームは、製品１０の方向に配置される緩衝部材と結合することができる。
【００６２】
これは、フレーム２２及び製品１０間の衝撃による損傷を防止するためである。
【００６３】
一例として、後面ドアフレームは、製品１０の方向に少なくとも一つの結合孔を有することができ、緩衝部材は、後面ドアフレームの方向に結合突起を有することができる。
【００６４】
ここで、緩衝部材の結合突起は後面ドアフレームの結合孔に挿入されてもよい。
【００６５】
そして、後面ドアフレームは、第２開口部に対向する一端の領域に配置される少なくとも一つの光源モジュールを有することができる。
【００６６】
ここで、光源モジュールの長さは、透明ディスプレイパネル２４の側面の長さより長くてもよい。
【００６７】
これは、光源モジュールから発生する光が、透明ディスプレイパネル２４及び製品１０の内部空間の輝度を決定するからである。
【００６８】
万一、光源モジュールの長さが、透明ディスプレイパネルの側面の長さよりも短いと、透明ディスプレイパネル２４及び製品１０の内部空間の輝度が低下しうる。
【００６９】
このため、透明ディスプレイパネル２４に表示される映像が鮮明でなく、製品１０の内部空間に配置される物品１４が外部からよく見えないという問題が発生しうる。
【００７０】
また、透明ディスプレイ装置２０は、第１透明カバー及び第２透明カバーをさらに備えることができる。
【００７１】
ここで、第１透明カバーは、透明ディスプレイパネル２４の前面から第１間隔をおいて配置することができ、第２透明カバーは、透明ディスプレイパネル２４の後面から第２間隔をおいて配置することができる。
【００７２】
一例として、第１間隔と第２間隔とは互いに異なってもよく、第１間隔は第２間隔より広くてもよい。
【００７３】
これは、外部の衝撃から透明ディスプレイパネル２４を保護するためである。
【００７４】
万一、第１間隔が第２間隔よりも狭いと、最も外側に配置される第１透明カバー及び透明ディスプレイパネル２４間の間隔が狭くなり、外部の衝撃が透明ディスプレイパネル２４に伝達されやすくなり、外部の衝撃によって透明ディスプレイパネル２４が損傷しうる。
【００７５】
また、第１間隔によって、第１透明カバーと透明ディスプレイパネル２４の前面との間には第１エアギャップ（ａｉｒ  ｇａｐ）が形成され、第２間隔によって、第２透明カバーと透明ディスプレイパネル２４の後面との間には第２エアギャップが形成されてもよい。
【００７６】
これは、透明ディスプレイパネル２４と第１透明カバー及び第２透明カバーとの間で温度差による湿気が発生し、透明ディスプレイパネル２４に悪影響が及ぼされることがあり、透明ディスプレイパネル２４の寿命を低下させうるからである。
【００７７】
場合によって、フレーム２２には、制御モジュールから発生する熱を透明ディスプレイパネル２４の後面方向に放出する送風部を配置することもできる。
【００７８】
ここで、送風部は、制御モジュールの制御信号によって、透明ディスプレイパネル２４の後面方向に熱気を流し、エアギャップ中の湿気を除去することができる。
【００７９】
一例として、フレーム２２には、エアギャップ内の湿度をセンシングする湿度センサーを配置することができ、制御モジュールは、湿度センサーのセンシング信号を受信して送風部を制御することができる。
【００８０】
すなわち、制御モジュールは、エアギャップ内の湿度が高いと、送風部がオンになり、エアギャップ内の湿度が低いと、送風部がオフになるように、送風部を制御することができる。
【００８１】
したがって、本発明は、湿度によって透明ディスプレイパネル１２０に及ぶ悪影響を遮断し、寿命を増加させることができる。
【００８２】
そして、第１透明カバー及び第２透明カバーは、互いに異なる材質で形成することができる。
【００８３】
ここで、第１透明カバーは全面強化ガラス材質とし、第２透明カバーは後面断熱材質とすることができる。
【００８４】
これは、第１透明カバーは、最も外側に位置することから、外部の衝撃を遮断しなければならないからであり、第２透明カバーは、クーラーのような製品１０の内部へ外部熱が侵入することを防止しなければならないからである。
【００８５】
場合によって、第１透明カバー及び第２透明カバーは、それらの役割によって、様々な材質とすることもできる。
【００８６】
そして、透明カバーの前面には、無反射（ＡＲ）コーティング膜を形成することができる。
【００８７】
これは、外部の光が透明カバーへ反射される場合、透明ディスプレイパネル２４で表示される映像の輝度及びコントラストが低下しうるからである。
【００８８】
また、第１透明カバー及び第２透明カバーの周縁領域は、フレーム２２に接着することができる。
【００８９】
また、第１透明カバー及び第２透明カバーの周縁領域には、第１スペーサ（ｓｐａｃｅｒ）及び第２スペーサを配置することができる。
【００９０】
ここで、第１スペーサは、第１透明カバー及び第２透明カバー間の間隔と、第１透明カバー及び透明ディスプレイパネル２４間の間隔とを制御することができる。
【００９１】
そして、第２スペーサは、第２透明カバー及び透明ディスプレイパネル２４間の間隔を制御することができる。
【００９２】
一例として、第１スペーサは、第１支持バー及び第２支持バー、第１連結バー及び第２連結バーを備えることができる。
【００９３】
ここで、第１支持バーは、第１透明カバー及び第２透明カバー間の間隔を制御し、第２支持バーは、第１透明カバー及び透明ディスプレイパネル２４間の間隔を制御することができる。
【００９４】
そして、第１連結バーは、第１支持バーの一端と第２支持バーの一端とを連結させ、第１透明カバーの周縁領域に接触することができる。第２連結バーは、第１支持バーの他端に連結されて、第２透明カバーの周縁領域に接触することができる。
【００９５】
また、制御モジュールは、第１透明カバー及び第２透明カバーの外側に位置するフレーム２２の領域に配置されるが、外部表面にコンフォーマルコーティング膜が形成されてもよい。
【００９６】
これは、第１透明カバー及び第２透明カバーの外側に位置するフレーム２２領域に配置されると、制御モジュールに含まれる回路部品の修理及び交換が容易になるからであり、外部表面にコンフォーマルコーティング膜が形成されると、冷蔵環境で温度及び湿度によって発生する損傷を防止できるからである。
【００９７】
一例として、制御モジュールは、外部装置から信号を受信する第１インターフェース部、遠隔制御装置から信号を受信する第２インターフェース部、及び第１インターフェース部及び第２インターフェース部から受信される信号によって透明ディスプレイパネル２４を制御する制御部を備えることができる。
【００９８】
ここで、第１インターフェース部は、外部装置と透明ディスプレイ装置２０とを接続させることができる。
【００９９】
ここで、第１インターフェース部は、ＤＶＤ（Ｄｉｇｉｔａｌ  Ｖｅｒｓａｔｉｌｅ  Ｄｉｓｋ）、ブルーレイ（Ｂｌｕ−ｒａｙ（登録商標））、ゲーム機器、カメラ、キャムコーダ、コンピュータ（ノートパソコン）などのような外部装置に有／無線で接続することができる。
【０１００】
そして、第１インターフェース部は、接続された外部装置を通して外部から入力される映像、音声又はデータ信号を、透明ディスプレイ装置２０の制御モジュールに伝達することができ、また、制御モジュールで処理された映像、音声又はデータ信号を、接続された外部装置に出力することもできる。
【０１０１】
そのために、第１インターフェース部は、ＡＶ入出力部（図示せず）又は無線通信部（図示せず）を備えることもできる。
【０１０２】
ここで、ＡＶ入出力部は、外部装置の映像及び音声信号を透明ディスプレイ装置２０に入力できるように、ＵＳＢ端子、ＣＶＢＳ（Ｃｏｍｐｏｓｉｔｅ  Ｖｉｄｅｏ  Ｂａｎｋｉｎｇ  Ｓｙｎｃ）端子、コンポーネント端子、Ｓ−ビデオ端子（アナログ）、ＤＶＩ（Ｄｉｇｉｔａｌ  Ｖｉｓｕａｌ  Ｉｎｔｅｒｆａｃｅ）端子、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子、ＲＧＢ端子、Ｄ−ＳＵＢ端子などを含むことができる。
【０１０３】
そして、無線通信部は、他の電子機器と近距離無線通信を実行することができる。
【０１０４】
透明ディスプレイ装置２０は、例えば、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）、ＤＬＮＡ（Ｄｉｇｉｔａｌ  Ｌｉｖｉｎｇ  Ｎｅｔｗｏｒｋ  Ａｌｌｉａｎｃｅ）などの通信規格に基づいて他の電子機器とネットワーク接続することができる。
【０１０５】
また、第２インターフェース部は、ユーザが入力した信号を制御モジュールに伝達したり、制御モジュールからの信号をユーザに伝達することができる。
【０１０６】
例えば、第２インターフェース部は、ＲＦ（Ｒａｄｉｏ  Ｆｒｅｑｕｅｎｃｙ）通信方式、赤外線（ＩＲ）通信方式などの様々な通信方式によって、遠隔制御装置から電源オン／オフ、画面設定などの制御信号、及び遠隔制御装置を介して入力されたジェスチャ及び音声に関する情報を受信して処理したり、制御モジュールからの制御信号を遠隔制御装置に送信するように処理することができる。
【０１０７】
また、例えば、第２インターフェース部は、電源キー、ボリュームキー、設定キーなどのローカルキー（図示せず）から入力される制御信号を制御モジュールに伝達することができる。
【０１０８】
そして、遠隔制御装置は、ユーザ入力を第２インターフェース部に送信するためのものであり、ブルートゥース（Ｂｌｕｅｔｏｏｔｈ（登録商標））、ＲＦ（Ｒａｄｉｏ  Ｆｒｅｑｕｅｎｃｙ）通信、赤外線（ＩＲ）通信、ＵＷＢ（Ｕｌｔｒａ  Ｗｉｄｅｂａｎｄ）、ジグビー（ＺｉｇＢｅｅ）方式などを用いることができる。
【０１０９】
また、遠隔制御装置は、第２インターフェース部から出力した映像、音声又はデータ信号などを受信し、それを遠隔制御装置で表示したり、音声又は振動を出力することもできる。
【０１１０】
場合によって、制御モジュールは、有／無線ネットワークと接続するための第３インターフェース部をさらに備えることもできる。
【０１１１】
ここで、第３インターフェース部は、様々なセットトップボックスと上述した各種の端子のうち少なくとも一つを介して接続して、セットトップボックスと入力／出力動作を実行することもできる。
【０１１２】
そして、第３インターフェース部は、透明ディスプレイ装置２０をインターネットを含む有／無線ネットワークと接続するためのインターフェースを提供することができる。第３インターフェース部は、有線ネットワークとの接続のために、例えば、イーサネット（登録商標）（Ｅｔｈｅｒｎｅｔ（登録商標））端子などを具備することができ、無線ネットワークとの接続のために、例えば、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等の通信規格などを用いることができる。
【０１１３】
続いて、第３インターフェース部は、接続されたネットワーク又は接続されたネットワークにリンクされた他のネットワークを介して、他のユーザ又は他の電子機器とデータを送信又は受信することができる。
【０１１４】
他の場合として、制御モジュールは、制御部で処理された音声信号を出力するオーディオ出力部をさらに備えることもできる。
【０１１５】
ここで、オーディオ出力部は、制御モジュールで音声処理された信号、例えば、ステレオ信号、３．１チャネル信号又は５．１チャネル信号を受信して音声として出力することができる。オーディオ出力部は、様々な形態のスピーカーとして具現することができる。
【０１１６】
また、制御モジュールは、所定の製品１０の内部開放のためにフレーム２２が回動する時、透明ディスプレイパネル２４の輝度を制御することもできる。
【０１１７】
そして、制御モジュールは、所定の製品１０の内部に保管される物品１４に関する情報が表示されるように、透明ディスプレイパネル２４を制御することもできる。
【０１１８】
また、制御モジュールは、光が透過する透過領域と光が透過しない不透過領域とが同時に表示されるように、透明ディスプレイパネル２４を制御することもできる。
【０１１９】
ここで、制御モジュールは、所定の製品１０の内部に保管される物品１４に関する情報が、不透過領域に表示されるように、透明ディスプレイパネル２４を制御することができる。
【０１２０】
場合によって、制御モジュールは、所定の製品１０の内部に保管される物品１４のうち、透過領域を通して見える物品１４に関する情報が、不透過領域に表示されるように、透明ディスプレイパネル２４を制御することもできる。
【０１２１】
そして、透明ディスプレイ装置２０は、透明ディスプレイパネル２４及び制御モジュールに電源を供給する電源部を有するカバー部３０をさらに備えることもできる。
【０１２２】
ここで、カバー部３０は、フレーム２２から一定間隔をおいて配置し、所定の製品１０の下端部に装着することができる。
【０１２３】
また、カバー部３０は、所定の製品１０の内部開閉のためにフレーム２２が回動する際、所定の製品１０の下端部に固定されていてもよい。
【０１２４】
場合によって、カバー部３０は、制御部から処理された音声信号を出力するオーディオ出力部をさらに有することができる。
【０１２５】
このように、本発明は、透明ディスプレイパネル及び制御モジュールが配置されるフレームを、所定の製品の前面をカバーするように装着し、製品の内部開閉時に回動してドア部の役割を担うと同時に、製品内の物品情報及び広告などをディスプレイするなどの様々な機能を果たすことができる。
【０１２６】
また、本発明は、制御モジュール及び光源モジュールを透明カバー部の外側に配置することによって、回路部品の交換及び修理がしやすく、量産が可能である。
【０１２７】
そして、本発明は、偏光板及び導光板が省かれた透明ディスプレイパネルを使用することによって、軽くて設置がしやすく、製作コストを低減することができる。
【０１２８】
また、本発明は、外部装置及び遠隔制御装置に接続されるインターフェース部を配置することによって、外部装置から受信される様々なコンテンツを表示し、遠隔制御装置から受信される制御信号によって輝度を制御することができ、ユーザの利便性に優れる。
【０１２９】
そして、本発明は、オーディオ出力部を配置することによって、透明ディスプレイパネルに表示されるコンテンツ映像に関する音響を提供し、物品の広告及び広報効果が卓越する。
【０１３０】
このように、本発明は、広告コンテンツと共に、飲料のような製品内部の物品を見せることによって、消費者の目を引き、購買欲求を高めることができる。
【０１３１】
図２は、本発明に係る透明ディスプレイ装置の分解図であり、図３は、図２の断面図である。
【０１３２】
図２及び図３に示すように、透明ディスプレイ装置２０は、フレーム、透明ディスプレイパネル２１０、制御モジュール２６０を含むことができる。
【０１３３】
ここで、フレームは開口部を有し、透明ディスプレイパネル２１０は、フレームの開口部に配置することができる。
【０１３４】
そして、制御モジュール２６０は、透明ディスプレイパネル２１０の外郭に位置するフレーム領域に配置されて、透明ディスプレイパネル２１０を制御することができる。
【０１３５】
また、透明ディスプレイパネル２１０及び制御モジュール２６０が配置されるフレームは、所定の製品の前面（ｆｒｏｎｔ  ｓｕｒｆａｃｅ）をカバーするように装着されて、所定の製品のドア部を形成し、所定の製品の内部開閉時に回動することができる。
【０１３６】
また、フレームは、前面ドアフレーム（ｆｒｏｎｔ  ｄｏｏｒ  ｆｒａｍｅ）２２０及び後面ドアフレーム２３０を有することができる。
【０１３７】
ここで、前面ドアフレーム２２０は、左側フレーム２２２、右側フレーム２２４、上側フレーム２２６、及び下側フレーム２２８が互いに結合して四角形のフレームを形成し、中央部に第１開口部を有することができる。
【０１３８】
そして、後面ドアフレーム２３０は、中央部に第２開口部を有し、前面ドアフレーム２２０に連結される。
【０１３９】
このとき、第１開口部及び第２開口部の面積は、互いに異なってもよい。
【０１４０】
一例として、後面ドアフレーム２３０の第２開口部の面積は、前面ドアフレーム２２０の第１開口部の面積よりも広くてもよい。
【０１４１】
これは、後面ドアフレーム２３０の内部側面に光源モジュール２５０を装着するための内部空間をさらに確保するためである。
【０１４２】
万一、後面ドアフレーム２３０の第２開口部の面積が、前面ドアフレーム２２０の第１開口部の面積よりも狭いと、後面ドアフレーム２３０の内部側面に装着された光源モジュール２５０が外部に露出されうるため、後面ドアフレーム２３０の第２開口部の面積が、前面ドアフレーム２２０の第１開口部の面積よりも広いことが好ましい。
【０１４３】
また、前面ドアフレーム２２０は、延長フレーム２２４を有することができ、延長フレーム２２４は、後面ドアフレーム２３０の方向に延長されて、後面ドアフレーム２３０に結合されてもよい。
【０１４４】
そして、延長フレーム２２４は、接続配線２６６が通る配線空間２２２が形成されてもよい。
【０１４５】
ここで、延長フレーム２２４に、接続配線２２６が通る配線空間２２２を形成する理由は、接続配線２２６が、上部に位置する透明ディスプレイパネル２１０と下部に位置する制御モジュール２６０とを電気的に接続させるためである。
【０１４６】
続いて、後面ドアフレーム２３０は、所定の製品が配置される後方で緩衝部材２４０と結合されてもよい。
【０１４７】
これは、後面ドアフレーム２３０と所定の製品間の衝撃による損傷を防止しなければならないからである。
【０１４８】
一例として、後面ドアフレーム２３０は、後方に少なくとも一つの結合孔が形成され、緩衝部材２４０は、後面ドアフレーム２３０の方向に結合突起２４２が形成されてもよい。
【０１４９】
ここで、緩衝部材２４０の結合突起２４２は、後面ドアフレーム２３０の結合孔に挿入されてもよい。
【０１５０】
そして、後面ドアフレーム２３０は、第２開口部に対向する一端の領域に配置される少なくとも一つの光源モジュール２５０を有することができる。
【０１５１】
続いて、前面ドアフレーム２２０及び後面ドアフレーム２３０の間には、ヒンジ３１０、フレームボード３４０、メインボード２６２とティーコン（Ｔ−Ｃｏｎ）２６４を含む制御モジュール２６０をカバーするカバーボード３２０、及びドアバックフレーム３３０などがさらに配置されてもよい。
【０１５２】
ここで、ヒンジ３１０は、前面ドアフレーム２２０の隅領域に配置され、フレームボード３４０及び制御モジュール２６０は、前面ドアフレーム２２０の下側フレーム２２８に対応して配置されてもよい。
【０１５３】
そして、カバーボード３２０及びドアバックフレーム３３０は、前面ドアフレーム２２０の上側フレーム２２６及び下側フレーム２２８にそれぞれ対応して配置されてもよい。
【０１５４】
また、第１透明カバー２７０は、透明ディスプレイパネル２１０の前面から第１間隔をおいて配置され、第２透明カバー２８０は、透明ディスプレイパネル２１０の後面から第２間隔をおいて配置されてもよい。
【０１５５】
一例として、第１間隔と第２間隔とは互いに異なってもよく、第１間隔は第２間隔よりも広くてもよい。
【０１５６】
これは、外部の衝撃から透明ディスプレイパネル２１０を保護するためである。
【０１５７】
万一、第１間隔が、第２間隔よりも狭いと、最も外側に配置される第１透明カバー２７０及び透明ディスプレイパネル２１０間の間隔が狭くなり、外部の衝撃が透明ディスプレイパネル２１０に伝達されやすく、外部衝撃によって透明ディスプレイパネル２１０が損傷しうる。
【０１５８】
また、第１間隔によって、第１透明カバー２７０と透明ディスプレイパネル２１０の前面との間には第１エアギャップ（ａｉｒｇａｐ）が形成され、第２間隔によって、第２透明カバー２８０と透明ディスプレイパネル２１０の後面との間には第２エアギャップが形成されてもよい。
【０１５９】
これは、透明ディスプレイパネル２１０と第１透明カバー２７０及び第２透明カバー２８０との間で温度差によって湿気が発生して透明ディスプレイパネル２１０に悪影響を及ぼすことがあり、透明ディスプレイパネル２１０の寿命を低下させうるからである。
【０１６０】
そして、第１透明カバー２７０及び第２透明カバー２８０は、互いに異なる材質で形成されてもよい。
【０１６１】
ここで、第１透明カバー２７０は、全面強化ガラス材質とし、第２透明カバー２８０は、後面断熱材質とすることができる。
【０１６２】
これは、第１透明カバー２７０は最も外側に位置することから、外部の衝撃を遮断しなければならないからであり、第２透明カバー２８０は、クーラーのような製品の内部に外部熱が侵入することを防止しなければならないからである。
【０１６３】
場合によって、第１透明カバー２７０及び第２透明カバー２８０は、それらの役割によって、様々な材質としてもよい。
【０１６４】
そして、第１透明カバー２７０の前面には、無反射（ＡＲ）コーティング膜が形成されてもよい。
【０１６５】
これは、外部の光が透明カバーへ反射される場合、透明ディスプレイパネル２１０で表示される映像の輝度及びコントラストが低下しうるからである。
【０１６６】
また、第１透明カバー２７０及び第２透明カバー２８０の周縁領域は、前面ドアフレーム２２０及び後面ドアフレーム２３０に接着されてもよい。
【０１６７】
続いて、第１透明カバー２７０及び第２透明カバー２８０の周縁領域には、第１スペーサ（ｓｐａｃｅｒ）２９０と第２スペーサ３００が配置されてもよい。
【０１６８】
ここで、第１スペーサ２９０は、第１透明カバー２７０及び第２透明カバー２８０間の間隔と、第１透明カバー２７０及び透明ディスプレイパネル２１０間の間隔を制御することができる。
【０１６９】
そして、第２スペーサ３００は、第２透明カバー２８０及び透明ディスプレイパネル２１０間の間隔を制御することができる。
【０１７０】
図４は、図２の前面ドアフレーム及び後面ドアフレームを示す図である。
【０１７１】
図４に示すように、前面ドアフレーム２２０は、四角形フレームを形成し、中央部に第１開口部２２１を有することができる。
【０１７２】
そして、後面ドアフレーム２３０は、中央部に第２開口部２３１を有し、前面ドアフレーム２２０に連結されてもよい。
【０１７３】
このとき、第１開口部２２１及び第２開口部２３１の面積は互いに異なってもよい。後面ドアフレーム２３０の第２開口部２３１の面積は、前面ドアフレーム２２０の第１開口部２２１の面積よりも広くてもよい。
【０１７４】
これは、後面ドアフレーム２３０の内部側面に光源モジュールを装着するための内部空間をさらに確保するためである。
【０１７５】
万一、後面ドアフレーム２３０の第２開口部２３１の面積が、前面ドアフレーム２２０の第１開口部２２１の面積よりも狭いと、後面ドアフレーム２３０の内部側面に装着された光源モジュールが外部に露出されうるため、後面ドアフレーム２３０の第２開口部２３１の面積が、前面ドアフレーム２２０の第１開口部２２１の面積よりも広いことが好ましい。
【０１７６】
そして、前面ドアフレーム２２０の左右側フレームバー２２０ａ，２２０ｂの幅ｗ１，ｗ２は互いに同一であり、前面ドアフレーム２２０の上下側フレームバー２２０ｃ，２２０ｄの幅ｗ３，ｗ４も互いに同一である。
【０１７７】
しかし、前面ドアフレーム２２０の上下側フレームバー２２０ｃ，２２０ｄの幅ｗ３，ｗ４は、前面ドアフレーム２２０の左右側フレームバー２２０ａ，２２０ｂの幅ｗ１，ｗ２より広くてもよい。
【０１７８】
これは、前面ドアフレーム２２０の上下側フレームバー２２０ｃ，２２０ｄの領域に、制御モジュールのような、回路ボードが装着されるためである。
【０１７９】
そして、前面ドアフレーム２２０の左右側フレームバー２２０ａ，２２０ｂの領域には、制御モジュールに接続される様々な配線が配置されてもよい。
【０１８０】
また、後面ドアフレーム２３０の左右側フレームバー２３０ａ，２３０ｂの幅ｗ１１，ｗ１２は互いに同一であり、後面ドアフレーム２３０の上下側フレームバー２３０ｃ，２３０ｄの幅ｗ１３，ｗ１４も互いに同一である。
【０１８１】
そして、後面ドアフレーム２３０の左右側フレームバー２３０ａ，２３０ｂの幅ｗ１１，ｗ１２と、後面ドアフレーム２３０の上下側フレームバー２３０ｃ，２３０ｄの幅ｗ１３，ｗ１４は、互いに同一であってもよい。
【０１８２】
図５は、図２の前面ドアフレーム、後面ドアフレーム及び緩衝部材の結合過程を示す図である。
【０１８３】
図５に示すように、後面ドアフレーム２３０は、前面ドアフレーム２２０の後方に結合され、緩衝部材２４０は、後面ドアフレーム２３０の後方に結合されてもよい。
【０１８４】
ここで、前面ドアフレーム２２０は、延長フレーム２２４を有することができ、延長フレーム２２４は、後面ドアフレーム２３０の方向に延長されて、後面ドアフレーム２３０に結合されてもよい。
【０１８５】
このとき、結合方式は、接着剤による結合であってもよく、ねじによる結合であってもよい。
【０１８６】
そして、延長フレーム２２４には、接続配線２６６が通る配線空間２２２が形成されてもよい。
【０１８７】
続いて、後面ドアフレーム２３０は緩衝部材２４０に結合されてもよい。
【０１８８】
これは、後面ドアフレーム２３０と所定の製品間の衝撃による損傷を防止しなければならないからである。
【０１８９】
ここで、後面ドアフレーム２３０は、後方に少なくとも一つの結合孔２３２が形成され、緩衝部材２４０は、後面ドアフレーム２３０の方向に結合突起２４２が形成されてもよい。
【０１９０】
ここで、緩衝部材２４０の結合突起２４２は、後面ドアフレーム２３０の結合孔２３２に挿入されてもよい。
【０１９１】
図６は、図２の光源モジュールの配置過程を示す図である。
【０１９２】
図６に示すように、光源モジュール２５０は、後面ドアフレーム２３０の内側面に配置されてもよい。
【０１９３】
ここで、光源モジュール２５０は、電極パターンを有する基板２５１と、基板２５１上に配置される少なくとも一つの光源２５２とを有することができる。
【０１９４】
ここで、光源モジュール２５０の光源２５２は、上面発光型（ｔｏｐ  ｖｉｅｗ  ｔｙｐｅ）発光ダイオードであってもよい。
【０１９５】
場合によって、光源２５２は、側面発光型（ｓｉｄｅ  ｖｉｅｗ  ｔｙｐｅ）発光ダイオードであってもよい。
【０１９６】
そして、基板２５１は、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）基板であってよく、フィルム状に形成されてもよい。
【０１９７】
また、基板２５１は、単層ＰＣＢ、多層ＰＣＢ、セラミック基板、及びメタルコアＰＣＢ等を選択的に使用することができる。
【０１９８】
ここで、基板２５１には、反射コーティングフィルム及び反射コーティング物質層のいずれかが形成されてもよく、光源２５２で生成された光を透明ディスプレイパネルに伝送することができる。
【０１９９】
また、光源２５２は、発光ダイオードチップ（ＬＥＤ  ｃｈｉｐ）であってもよく、発光ダイオードチップは、ブルーＬＥＤチップ又は紫外線ＬＥＤチップで構成されたり、又はレッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップのうち少なくとも１つ又はそれ以上を組み合わせたパッケージ形態で構成されてもよい。
【０２００】
そして、ホワイトＬＥＤは、ブルーＬＥＤ上にイエロー蛍光体（Ｙｅｌｌｏｗ  ｐｈｏｓｐｈｏｒ）を結合したり、ブルーＬＥＤ上にレッド蛍光体（Ｒｅｄ  ｐｈｏｓｐｈｏｒ）及びグリーン蛍光体（Ｇｒｅｅｎ  ｐｈｏｓｐｈｏｒ）を同時に使用したりして具現することができ、ブルーＬＥＤ上に、イエロー蛍光体（Ｙｅｌｌｏｗ  ｐｈｏｓｐｈｏｒ）、レッド蛍光体（Ｒｅｄ  ｐｈｏｓｐｈｏｒ）及びグリーン蛍光体（Ｇｒｅｅｎ  ｐｈｏｓｐｈｏｒ）を同時に使用して具現することもできる。
【０２０１】
また、光源モジュール２５０は、後面ドアフレーム２３０の左右側フレームバー２３０ａ，２３０ｂ、及び後面ドアフレーム２３０の上下側フレームバー２３０ｃ，２３０ｄの両方に装着されてもよく、場合によって、一部にのみ装着されてもよい。
【０２０２】
一例として、光源モジュール２５０は、第１光源モジュール２５０ａ、第２光源モジュール２５０ｂ、及び第３光源モジュール２５０ｃのうち少なくとも一つであってもよい。
【０２０３】
ここで、第１光源モジュール２５０ａは、後面ドアフレーム２３０の左側フレームバー２３０ａの内側面に配置され、第２光源モジュール２５０ｂは、後面ドアフレーム２３０の右側フレームバー２３０ｂの内側面に配置されてもよい。
【０２０４】
このとき、後面ドアフレーム２３０の左側フレームバー２３０ａに配置される第１光源モジュール２５０ａと、後面ドアフレーム２３０の右側フレームバー２３０ｂに配置される第２光源モジュール２５０ｂとが向かい合ってもよい。
【０２０５】
そして、第３光源モジュール２５０ｃは、後面ドアフレーム２３０の上側フレームバー２３０ｃの内側面に配置されてもよい。
【０２０６】
このとき、後面ドアフレーム２３０の上側フレームバー２３０ｃに配置される第３光源モジュール２５０ｃは、後面ドアフレーム２３０の下側フレームバー２３０ｄと向かい合ってもよい。
【０２０７】
また、光源モジュール２５０は、後面ドアフレーム２３０の側面に沿って一つの基板２５１が配置され、光源２５２が同時に駆動されてもよい。
【０２０８】
場合によって、光源モジュール２５０は、後面ドアフレーム２３０の側面に沿って、複数の基板２５１が配置され、各基板２５１上に配置される光源２５２が個別に駆動されてもよい。
【０２０９】
図７は、図２の光源モジュールの長さを示す図である。
【０２１０】
図７に示すように、光源モジュール２５０は、後面ドアフレームの内側面に支持され、透明ディスプレイパネル２１０の周りに沿って配置されてもよい。
【０２１１】
ここで、光源モジュール２５０は、電極パターンを有する基板２５１と、基板２５１上に配置される少なくとも一つの光源２５２を有することができる。
【０２１２】
ここで、光源モジュール２５０の長さは、透明ディスプレイパネル２１０の側面の長さよりも長くてもよい。
【０２１３】
これは、光源モジュール２５０から発生する光が、透明ディスプレイパネル２１０が装着される製品の内部空間の輝度を決定するからである。
【０２１４】
万一、光源モジュール２５０の長さが、透明ディスプレイパネル２１０の側面の長さよりも短いと、透明ディスプレイパネル２１０と製品の内部空間の輝度が低下しうる。
【０２１５】
このため、透明ディスプレイパネル２１０に表示される映像が鮮明でなく、装着される製品の内部空間に配置される物品が外部からよく見えないという問題が発生しうる。
【０２１６】
一例として、光源モジュール２５０は、第１光源モジュール２５０ａ、第２光源モジュール２５０ｂ、及び第３光源モジュール２５０ｃのうち少なくとも一つであってもよい。
【０２１７】
ここで、第１光源モジュール２５０ａは、透明ディスプレイパネル２１０の左側周辺に配置され、第２光源モジュール２５０ｂは、透明ディスプレイパネル２１０の右側周辺に配置されてもよい。
【０２１８】
そして、第３光源モジュール２５０ｃは、透明ディスプレイパネル２１０の上側周辺に配置されてもよい。
【０２１９】
ここで、第１光源モジュール２５０ａの長さＬ１は、透明ディスプレイパネル２１０の左側の長さＬ１１より短くてもよく、第２光源モジュール２５０ｂの長さＬ２は、透明ディスプレイパネル２１０の右側の長さＬ１２よりも長くてもよい。
【０２２０】
また、第３光源モジュール２５０ｃの長さＬ３は、透明ディスプレイパネル２１０の上側の長さＬ１３よりも長くてもよい。
【０２２１】
また、第１光源モジュール２５０ａの長さＬ１と第２光源モジュール２５０ｂの長さＬ２は、互いに同一であってもよい。
【０２２２】
そして、第３光源モジュール２５０ｃの長さＬ３は、第１光源モジュール２５０ａの長さＬ１及び第２光源モジュール２５０ｂの長さＬ２より短くてもよい。
【０２２３】
図８は、図２の第１透明カバー及び第２透明カバーの配置を示す図である。
【０２２４】
図８に示すように、透明ディスプレイ装置は、第１透明カバー２７０及び第２透明カバー２８０をさらに有することができる。
【０２２５】
ここで、第１透明カバー２７０は、透明ディスプレイパネル２１０の前面から第１間隔ｄ１をおいて配置され、第２透明カバー２８０は、透明ディスプレイパネル２１０の後面から第２間隔ｄ２をおいて配置されてもよい。
【０２２６】
一例として、第１間隔ｄ１及び第２間隔ｄ２は互いに異なってもよく、第１間隔ｄ１は第２間隔ｄ２より広くてもよい。
【０２２７】
これは、外部の衝撃から透明ディスプレイパネル２１０を保護するためである。
【０２２８】
万一、第１間隔ｄ１が第２間隔ｄ２よりも狭いと、最も外側に配置される第１透明カバー２７０及び透明ディスプレイパネル２１０間の間隔が狭くなり、外部の衝撃が透明ディスプレイパネル２１０に伝達されやすく、外部衝撃によって透明ディスプレイパネル２１０が損傷しうる。
【０２２９】
また、第１間隔ｄ１よって、第１透明カバー２７０と透明ディスプレイパネル２１０の前面との間には第１エアギャップ（ａｉｒｇａｐ）が形成され、第２間隔ｄ２によって、第２透明カバー２８０と透明ディスプレイパネル２１０の後面との間には、第２エアギャップが形成されてもよい。
【０２３０】
これは、透明ディスプレイパネル２１０と第１透明カバー２７０及び第２透明カバー２８０間で温度差による湿気が発生して透明ディスプレイパネル２１０に悪影響が及ぼされることがあり、透明ディスプレイパネル２１０の寿命を低下させうるからである。
【０２３１】
そして、第１透明カバー２７０及び第２透明カバー２８０は、互いに異なる材質で形成されてもよい。
【０２３２】
ここで、第１透明カバー２７０は全面強化ガラス材質とし、第２透明カバー２８０は後面断熱材質とすることができる。
【０２３３】
これは、第１透明カバー２７０は最も外側に位置することから、外部の衝撃を遮断しなければならないからであり、第２透明カバー２８０は、クーラーのような製品の内部に外部熱が侵入することを防止しなければならないからである。
【０２３４】
場合によって、第１透明カバー２７０及び第２透明カバー２８０は、それらの役割によって、様々な材質としてもよい。
【０２３５】
そして、第１透明カバー２７０の前面には、無反射（ＡＲ）コーティング膜が形成されてもよい。
【０２３６】
これは、外部の光が第１透明カバー２７０へ反射される場合、透明ディスプレイパネル２１０で表示される映像の輝度及びコントラストが低下しうるからである。
【０２３７】
また、第１スペーサ２９０は、第１透明カバー２７０及び第２透明カバー２８０間の間隔を制御することができ、第２スペーサ３００は、第２透明カバー２８０及び透明ディスプレイパネル２１０間の間隔を制御することができる。
【０２３８】
また、第１透明カバー２７０の周縁領域は前面ドアフレーム２２０に接触し、第２透明カバー２８０の周縁領域は後面ドアフレーム２３０に接触することができる。
【０２３９】
そして、第２透明カバー２８０の後面周縁領域には、光源モジュール２５０が後面ドアフレーム２３０に支持されて配置されてもよい。
【０２４０】
さらに、後面ドアフレーム２３０の後面には、緩衝部材２４０が配置され、前面ドアフレーム２２０の配線空間には、制御モジュールと透明ディスプレイパネル２１０とを電気的に接続するための配線２６６が配置されてもよい。
【０２４１】
図９は、図２の第１スペーサ及び第２スペーサを示す図である。
【０２４２】
図９に示すように、第１透明カバー２７０及び第２透明カバー２８０の周縁領域には、第１スペーサ２９０及び第２スペーサ３００が配置されてもよい。
【０２４３】
ここで、第１スペーサ２９０は、第１透明カバー２７０及び第２透明カバー２８０間の間隔と、第１透明カバー２７０及び透明ディスプレイパネル２１０間の間隔を制御することができる。
【０２４４】
そして、第２スペーサ３００は、第２透明カバー２８０及び透明ディスプレイパネル２１０間の間隔を制御することができる。
【０２４５】
一例として、第１スペーサ２９０は、第１支持バー２９４及び第２支持バー２９２、第１連結バー２９６及び第２連結バー２９８を有することができる。
【０２４６】
ここで、第１支持バー２９４は、第１透明カバー２７０及び第２透明カバー２８０間の間隔を制御し、第２支持バー２９２は、第１透明カバー２７０及び透明ディスプレイパネル２１０間の間隔を制御することができる。
【０２４７】
そして、第１連結バー２９６は、第１支持バー２９４の一端と第２支持バー２９２の一端とを連結し、第１透明カバー２７０の周縁領域に接触することができる。第２連結バー２９８は、第１支持バー２９４の他端に連結され、第２透明カバー２８０の周縁領域に接触することができる。
【０２４８】
したがって、本発明は、第１スペーサ２９０及び第２スペーサ３００によって、第１透明カバー２７０及び第２透明カバー２８０と透明ディスプレイパネル２１０間のエアギャップを安定的に維持することができ、温度差による湿気発生を最小化することができる。
【０２４９】
図１０は、図２の制御モジュールの配置を示す図であり、図１１は、図２の制御モジュールを示すブロック構成図である。
【０２５０】
図１０及び図１１に示すように、透明ディスプレイ装置２０は、クーラーのような所定の製品１０の前面部に装着されて、所定の製品１０のドア部の役割を担うことができる。
【０２５１】
ここで、所定の製品１０は、クーラーなどのような冷蔵保管装置としたが、これに限定されず、様々な物品を保管できる保管装置であってもよく、デジタルサイネージであってもよい。
【０２５２】
そして、透明ディスプレイ装置２０は、所定の映像２６を画面に表示する透明ディスプレイパネル２４と、透明ディスプレイパネル２４の周辺を支持するフレーム２２とを有することができる。
【０２５３】
また、透明ディスプレイ装置２０は、電源を供給する電源部６００を含むことができるが、電源部６００は、所定の製品１０の下端に位置するカバー部３０内に配置されている。
【０２５４】
ここで、フレーム２２と透明ディスプレイパネル２４を有する透明ディスプレイ装置２０は、製品１０の一端に取り付けられたヒンジによって回動することができる。
【０２５５】
このため、透明ディスプレイ装置２０のフレーム２２と透明ディスプレイパネル２４とはヒンジによって回動し、透明ディスプレイ装置２０の電源部６００は回動せずに固定されてもよい。
【０２５６】
場合によって、透明ディスプレイ装置２０の電源部６００も、配置される場所によって、フレーム２２及び透明ディスプレイパネル２４と共に回動してもよい。
【０２５７】
また、制御モジュール５００は、外部表面にコンフォーマルコーティング膜が形成されてもよい。
【０２５８】
透明ディスプレイパネル２４の外側に位置するフレーム２２領域に配置されると、制御モジュール５００に含まれる回路部品の修理及び交換が容易となるからであり、外部表面にコンフォーマルコーティング膜が形成されると、冷蔵環境で温度及び湿度によって損傷が発生することを防止できるからである。
【０２５９】
一例として、図１１に示すように、制御モジュール５００は、外部装置から信号を受信する第１インターフェース部５１０、遠隔制御装置から信号を受信する第２インターフェース部５２０、及び第１インターフェース部５１０及び第２インターフェース部５２０から受信される信号によって、透明ディスプレイパネル２４を制御する制御部５４０を備えることができる。
【０２６０】
ここで、第１インターフェース部５１０は、外部装置と透明ディスプレイ装置２０とを接続させることができる。
【０２６１】
ここで、第１インターフェース部５１０は、ＤＶＤ（Ｄｉｇｉｔａｌ  Ｖｅｒｓａｔｉｌｅ  Ｄｉｓｋ）、ブルーレイ（Ｂｌｕ−ｒａｙ（登録商標））、ゲーム機器、カメラ、キャムコーダ、コンピュータ（ノートパソコン）などのような外部装置と有／無線で接続することができる。
【０２６２】
そして、第１インターフェース部５１０は、接続された外部装置を介して外部から入力される映像、音声又はデータ信号を制御部５４０に伝達することができ、また、制御部５４０で処理された映像、音声又はデータ信号を、接続された外部装置に出力することもできる。
【０２６３】
そのために、第１インターフェース部５１０は、ＡＶ入出力部（図示せず）又は無線通信部（図示せず）を有することもできる。
【０２６４】
ここで、ＡＶ入出力部は、外部装置の映像及び音声信号を透明ディスプレイ装置２０に入力できるように、ＵＳＢ端子、ＣＶＢＳ（Ｃｏｍｐｏｓｉｔｅ  Ｖｉｄｅｏ  Ｂａｎｋｉｎｇ  Ｓｙｎｃ）端子、コンポーネント端子、Ｓ−ビデオ端子（アナログ）、ＤＶＩ（Ｄｉｇｉｔａｌ  Ｖｉｓｕａｌ  Ｉｎｔｅｒｆａｃｅ）端子、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子、ＲＧＢ端子、Ｄ−ＳＵＢ端子などを含むことができる。
【０２６５】
そして、無線通信部は、他の電子機器と近距離無線通信を実行することができる。
【０２６６】
透明ディスプレイ装置２０は、例えば、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）、ＤＬＮＡ（Ｄｉｇｉｔａｌ  Ｌｉｖｉｎｇ  Ｎｅｔｗｏｒｋ  Ａｌｌｉａｎｃｅ）などの通信規格によって他の電子機器とネットワーク接続されてもよい。
【０２６７】
また、第２インターフェース部５２０は、ユーザが入力した信号を制御部５４０に伝達したり、制御部５４０からの信号をユーザに伝達することができる。
【０２６８】
例えば、第２インターフェース部５２０は、ＲＦ（Ｒａｄｉｏ  Ｆｒｅｑｕｅｎｃｙ）通信方式、赤外線（ＩＲ）通信方式などの様々な通信方式によって、遠隔制御装置から電源オン／オフ、画面設定などの制御信号、及び遠隔制御装置を介して入力されたジェスチャ及び音声に関する情報を受信して処理したり、制御モジュールからの制御信号を遠隔制御装置に送信するように処理することができる。
【０２６９】
また、例えば、第２インターフェース部５２０は、電源キー、ボリュームキー、設定キーなどのローカルキー（図示せず）から入力される制御信号を制御部５４０に伝達することができる。
【０２７０】
そして、遠隔制御装置は、ユーザ入力を第２インターフェース部５２０に送信するためのものであり、ブルートゥース（Ｂｌｕｅｔｏｏｔｈ（登録商標））、ＲＦ（Ｒａｄｉｏ  Ｆｒｅｑｕｅｎｃｙ）通信、赤外線（ＩＲ）通信、ＵＷＢ（Ｕｌｔｒａ  Ｗｉｄｅｂａｎｄ）、ジグビー（ＺｉｇＢｅｅ）方式などを用いることができる。
【０２７１】
また、遠隔制御装置は、第２インターフェース部５２０から出力した映像、音声又はデータ信号などを受信し、それを遠隔制御装置で表示したり、音声又は振動を出力することもできる。
【０２７２】
場合によって、制御モジュール５００は、有／無線ネットワークと接続するための第３インターフェース部５３０をさらに備えることもできる。
【０２７３】
ここで、第３インターフェース部５３０は、様々なセットトップボックスと上述した各種端子のうち少なくとも一つを介して接続され、セットトップボックスと入力／出力動作を実行することもできる。
【０２７４】
そして、第３インターフェース部５３０は、透明ディスプレイ装置２０をインターネットを含む有／無線ネットワークに接続させるためのインターフェースを提供することができ、第３インターフェース部５３０は、有線ネットワークとの接続のために、例えば、イーサネット（登録商標）（Ｅｔｈｅｒｎｅｔ（登録商標））端子などを具備することができ、無線ネットワークとの接続のために、例えば、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等の通信規格などを用いることができる。
【０２７５】
続いて、第３インターフェース部５３０は、接続されたネットワーク又は接続されたネットワークにリンクされた他のネットワークを介して、他のユーザ又は他の電子機器とデータを送信又は受信することができる。
【０２７６】
他の場合として、制御モジュール５００は、制御部５４０から処理された音声信号を出力するオーディオ出力部５５０をさらに備えることもできる。
【０２７７】
ここで、オーディオ出力部５５０は、制御部５４０で音声処理された信号、例えば、ステレオ信号、３．１チャネル信号又は５．１チャネル信号を受信して音声として出力することができる。オーディオ出力部は、様々な形態のスピーカーとして具現することができる。
【０２７８】
場合によって、オーディオ出力部５５０は、制御モジュール５００から離れて、カバー部３０内に配置されてもよい。
【０２７９】
図１２は、図２の制御モジュールの配線接続を示す図である。
【０２８０】
図１２に示すように、透明ディスプレイ装置は、透明ディスプレイパネル２１０が配置される領域Ａと、フレームが配置される領域Ｂと、カバー部が配置される領域Ｃとを有することができる。
【０２８１】
ここで、フレーム領域Ｂには、第１光源モジュール２５０ａが透明ディスプレイパネル２１０の左側周辺に配置され、第２光源モジュール２５０ｂが透明ディスプレイパネル２１０の右側周辺に配置されており、第３光源モジュール２５０ｃが透明ディスプレイパネル２１０の上側周辺に配置されている。
【０２８２】
そして、透明ディスプレイパネル２１０の下側周辺には、メイン回路部５４０ａ及びデータ処理部５４０ｂを含む制御部５４０が配置されてもよい。
【０２８３】
ここで、データ処理部５４０ｂは、配線２６６によって、透明ディスプレイパネル２１０と電気的に接続されてもよい。
【０２８４】
また、制御部５４０の周辺には、外部装置から信号を受信する第１インターフェース部、遠隔制御装置から信号を受信する第２インターフェース部５２０、及び有／無線ネットワークと接続するための第３インターフェース部５３０などが配置されてもよい。
【０２８５】
続いて、カバー部領域Ｃには、光源モジュール２５０、透明ディスプレイパネル２１０及び制御部５４０に電源を供給する電源部６００と、制御部５４０で処理された音声信号を出力するオーディオ出力部５５０が配置されてもよい。
【０２８６】
図１３乃至図１６は、本発明に係る透明ディスプレイ装置が装着されたクーラーを示す図である。
【０２８７】
図１３乃至図１６に示すように、本発明の透明ディスプレイ装置２０は、透明ディスプレイパネル２４、及び制御モジュールが装着されたフレーム２２を備えることができ、透明ディスプレイ装置２０のフレーム２２は、クーラーなどのような製品１０の前面に装着されてドア部の役割を担うことができる。
【０２８８】
ここで、図１３に示すように、制御モジュールは、クーラー内に保管される物品に関する情報が表示されるように、透明ディスプレイパネル２４を制御することができる。
【０２８９】
一例として、クーラー内に所定の飲料が配置されていると、透明ディスプレイパネル２４は、飲料に関する様々な情報、写真及び動画などの映像を表示することによって、広告及び広報などに用いることができる。
【０２９０】
また、透明ディスプレイ装置２０は、赤外線タッチセンサーなどを用いてユーザのタッチ入力を感知し、様々な情報を提供することができる。
【０２９１】
場合によって、透明ディスプレイ装置２０は、カメラを備えることもでき、カメラを用いてユーザのジェスチャ動作を感知し、様々な情報を提供することもできる。
【０２９２】
そして、図１４に示すように、制御モジュールは、光が透過する透過領域２４ｂと光が透過しない不透過領域２４ａとが同時に表示されるように、透明ディスプレイパネル２４を制御することもできる。
【０２９３】
この場合、透明ディスプレイパネル２４は、光が透過する透過領域２４ｂを通してクーラー内部の物品が見えるようにし、光が透過しない不透過領域２４ａを通してクーラー内部の物品が見えないようにすることもできる。
【０２９４】
すなわち、ユーザは、透明ディスプレイパネル２４を通してクーラー内の物品を部分的に見ることができる。
【０２９５】
ここで、透明ディスプレイパネル２４は、光が透過する透過領域２４ｂが、時間によって位置が移動しながら、クーラー内部の物品が順次見えるようにすることもできる。
【０２９６】
一例として、透明ディスプレイパネル２４は、光が透過する透過領域２４ｂが、一定の方向に規則的に移動してもよく、様々な方向に不規則的に移動してもよい。
【０２９７】
このため、ユーザは、光が透過する透過領域２４ｂが移動することから、クーラー内部の物品の一部分をダイナミックに見ることができ、物品に対する集中力が高くなり、広告及び広報効果が卓越する。
【０２９８】
他の場合として、透明ディスプレイパネル２４は、光が透過する透過領域２４ｂを通してクーラー内部の物品が見えるようにし、光が透過しない不透過領域２４ａには、クーラー内部の物品に関する様々な広告映像を表示することもできる。
【０２９９】
すなわち、ユーザは、透明ディスプレイパネル２４から、クーラー内の物品を見ると同時に、クーラー内の物品関連広告映像を見ることができる。
【０３００】
更に他の場合として、透明ディスプレイパネル２４は、パネル全体を光が透過する透過領域２４ｂとし、クーラー内部の物品が全部見えるようにすると同時に、透過領域２４ｂに、クーラー内部の物品に関する様々な広告映像を表示することもできる。
【０３０１】
更に他の場合として、透明ディスプレイパネル２４は、バネル全体を光が透過する透過領域２４ｂとし、クーラー内部の物品が全部見えるようにすると同時に、一部の指定された位置の透過領域２４ｂにのみ、クーラー内部の物品に関する様々な広告映像を表示することもできる。
【０３０２】
このように、図１４に示すように、透明ディスプレイ装置２０の制御モジュールは、クーラー内部に保管される物品に関する情報が、不透過領域２４ａに表示されるように、透明ディスプレイパネル２４を制御することができる。
【０３０３】
また、図１５に示すように、透明ディスプレイ装置２０の制御モジュールは、クーラーの内部に保管される物品のうち、透過領域２４ｂを通して見える物品に関する情報が、不透過領域２４ａに表示されるように、透明ディスプレイパネル２４を制御することもできる。
【０３０４】
ここで、透明ディスプレイパネル２４は、光が透過する透過領域２４ｂを通してクーラー内部の物品が見えるようにし、光が透過しない不透過領域２４ａには、クーラー内部の物品に関する様々な広告映像を表示することができるが、不透過領域２４ａに表示される物品は、透過領域２４ｂを通して見える物品に限定してもよい。
【０３０５】
すなわち、ユーザは、透明ディスプレイパネル２４を通して見える実際の物品と、見える実際の物品に関する広告映像を見ることができる。
【０３０６】
次に、図１６に示すように、透明ディスプレイ装置２０の制御モジュールは、第１インターフェース部を介してＵＳＢなどのような外部装置５０から信号を受信することができる。
【０３０７】
一例として、第１インターフェース部は、ＤＶＤ（Ｄｉｇｉｔａｌ  Ｖｅｒｓａｔｉｌｅ  Ｄｉｓｋ）、ブルーレイ（Ｂｌｕ−ｒａｙ（登録商標））、ゲーム機器、カメラ、キャムコーダ、コンピュータ（ノートパソコン）などのような外部装置に有／無線で接続されてもよい。
【０３０８】
そして、第１インターフェース部は、接続された外部装置を介して外部から入力される映像、音声又はデータ信号を制御モジュールに伝達することができ、制御モジュールで処理された映像、音声又はデータ信号を、接続された外部装置に出力することもできる。
【０３０９】
また、透明ディスプレイ装置２０の制御モジュールは、第２インターフェース部を介して遠隔制御装置４０から信号を受信することもできる。
【０３１０】
一例として、第２インターフェース部は、ＲＦ（Ｒａｄｉｏ  Ｆｒｅｑｕｅｎｃｙ）通信方式、赤外線（ＩＲ）通信方式などの様々な通信方式によって、遠隔制御装置４０から電源オン／オフ、画面設定などの制御信号、及び遠隔制御装置４０を介して入力されたジェスチャ及び音声に関する情報を受信して処理したり、制御モジュールからの制御信号を遠隔制御装置４０に送信するように処理することができる。
【０３１１】
そして、遠隔制御装置４０は、ユーザ入力を第２インターフェース部に送信するためのものであり、ブルートゥース（Ｂｌｕｅｔｏｏｔｈ（登録商標））、ＲＦ（Ｒａｄｉｏ  Ｆｒｅｑｕｅｎｃｙ）通信、赤外線（ＩＲ）通信、ＵＷＢ（Ｕｌｔｒａ  Ｗｉｄｅｂａｎｄ）、ジグビー（ＺｉｇＢｅｅ）方式などを用いることができる。
【０３１２】
また、遠隔制御装置４０は、第２インターフェース部から出力した映像、音声又はデータ信号などを受信し、それを遠隔制御装置４０で表示したり、音声又は振動を出力することもできる。
【０３１３】
場合によって、透明ディスプレイ装置２０の制御モジュールは、第３インターフェース部を介して有／無線ネットワークと接続することもできる。
【０３１４】
ここで、第３インターフェース部は、透明ディスプレイ装置２０をインターネットを含む有／無線ネットワークと接続するためのインターフェースを提供することができ、第３インターフェース部は、有線ネットワークとの接続のために、例えばイーサネット（登録商標）（Ｅｔｈｅｒｎｅｔ（登録商標））端子などを具備することができ、無線ネットワークとの接続のために、例えば、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等の通信規格などを用いることができる。
【０３１５】
続いて、第３インターフェース部は、接続されたネットワーク又は接続されたネットワークにリンクされた他のネットワークを介して、他のユーザ又は他の電子機器とデータを送信又は受信することができる。
【０３１６】
他の場合として、クーラー製品１０の下端には、音声信号を出力するオーディオ出力部が配置されて、透明ディスプレイ装置で表示されるコンテンツ映像に臨場感とダイナミックさを与えることができる。
【０３１７】
また、本発明の透明ディスプレイ装置を装着したクーラー製品１０は、第１インターフェース部、第２インターフェース部及び第３インターフェース部を介して様々なコンテンツ映像を簡便に表示及び変更することができ、遠隔制御装置４０を用いてコンテンツ映像の音量調節、画質調節及びコンテンツ変更などを容易に管理することができる。
【０３１８】
このように、本発明は、透明ディスプレイパネル及び制御モジュールが配置されるフレームを、所定の製品の前面をカバーするように装着し、製品の内部開閉時に回動することによってドア部の役割を担うと同時に、製品内の物品情報及び広告などをディスプレイするなどの様々な機能を果たすことができる。
【０３１９】
また、本発明は、制御モジュール及び光源モジュールを透明カバー部の外側に配置することによって、回路部品の交換及び修理がしやすく、量産が可能である。
【０３２０】
そして、本発明は、偏光板及び導光板が省かれた透明ディスプレイパネルを使用することによって、軽くて設置がしやすく、製作コストを低減することができる。
【０３２１】
また、本発明は、外部装置及び遠隔制御装置に接続されるインターフェース部を配置することによって、外部装置から受信される様々なコンテンツを表示し、遠隔制御装置から受信される制御信号によって輝度を制御することができ、ユーザの利便性に優れる。
【０３２２】
そして、本発明は、オーディオ出力部を配置して透明ディスプレイパネルに表示されるコンテンツ映像に関する音響を提供することによって、物品の広告及び広報効果が卓越する。
【０３２３】
したがって、本発明は、広告コンテンツと共に飲料のような製品内部の物品を見せることによって、消費者の目を引き、購買欲求を高めることができる。
【実施例】
【０３２４】
本明細書で開示する透明ディスプレイ装置は、以上説明した実施例の構成と方法に限定されるものではなく、上記の実施例は、様々な変形が可能であり、各実施例の全て又は一部を選択的に組み合わせて構成することもできる。
【０３２５】
一方、本明細書に開示された透明ディスプレイ装置の動作方法は、透明ディスプレイ装置に具備されたプロセッサが読み取り可能な記録媒体に、プロセッサが読み取り可能なコードとして具現することができる。プロセッサが読み取り可能な記録媒体は、プロセッサが読み取り可能なデータが記憶されるいなかる種類の記録デバイスであってもよい。プロセッサが読み取り可能な記録媒体の例には、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ記憶デバイスなどがあり、インターネットを介した伝送などのようなキャリア−ウェーブ（ｃａｒｒｉｅｒ−ｗａｖｅ）の形態で具現されるものも含む。また、プロセッサが読み取り可能な記録媒体は、ネットワークに接続されたコンピュータシステムに分散され、分散方式でプロセッサが読み取り可能なコードが記憶され実行されてもよい。
【０３２６】
一方、本明細書では添付の図面を参照して説明したが、これは実施例に過ぎないものであり、特定の実施例に限定されず、当該発明の属する技術の分野における通常の知識を有する者にとって変形が可能な様々な内容も、特許請求の範囲に基づく権利範囲に属する。また、それらの変形例が本発明の技術思想と独立して理解されてはならない。
【産業上の利用可能性】
【０３２７】
本発明は、所定の製品に取り付けられて、製品内の物品情報及び広告などをディスプレイする透明ディスプレイ装置に関する。したがって、本発明は産業上の利用可能性がある。
【図１ａ】
0006321220.tif 000002
【図１ｂ】
0006321220.tif 000003
【図１ｃ】
0006321220.tif 000004
【図２】
0006321220.tif 000005
【図３】
0006321220.tif 000006
【図４】
0006321220.tif 000007
【図５】
0006321220.tif 000008
【図６】
0006321220.tif 000009
【図７】
0006321220.tif 000010
【図８】
0006321220.tif 000011
【図９】
0006321220.tif 000012
【図１０】
0006321220.tif 000013
【図１１】
0006321220.tif 000014
【図１２】
0006321220.tif 000015
【図１３】
0006321220.tif 000016
【図１４】
0006321220.tif 000017
【図１５】
0006321220.tif 000018
【図１６】
0006321220.tif 000019